(57)【要約】      （修正有）【課題】寒い時期の米研ぎは冷たい水に手を浸さなければならない煩わしさがある。万遍なく米を研いだ積りであっても部分に研ぎ不足があり平均に研がれてない状況がある。【解決手段】プラスチック材で作った部品を利用して米を研ぐ一連の動きを行う。容器は二重になっておりおのおの容器中央に中空なる円筒を持ち中容器１１は円筒を中心に回転する構造を持つ。外容器１２は回転しないが取水口を持ち米の入った中容器１１を水に浸しながら水を溜める。一定以上の取水は中央円筒より外部へ排出する。中蓋５に取り付けたハンドル１を手で廻す事により中蓋５が回転し米の入った中容器１１を連動回転させる。外容器中央の筒先端に取り付けた十字板１０は中容器内を十字形に４っのブロック３２に分ける。中容器１１と一緒に回転する米はこの十字板１０に当り混ぜ合わさり米同志がコスレ合って米全体が研ぎ不足箇所なく平均的に研がれる。【選択図】図１
0003121806.tif 000002
【実用新案登録請求の範囲】
【請求項１】
容器は外容器１２と中容器１１で二重になっている  中容器１１は中央に太く短い筒を持ち  底面に多数なる水の出入りする小さな穴２８を有しており  中蓋５と連動する中容器外周縁は勘合対応の凹凸形状２７を成し  中央円筒同志をはめ込み外容器内に納まる、外容器１２は中央に細く長い筒を持ち  筒高さ以上の取水は筒内を通り排水される  筒先端周縁は十字板取り付け勘合対応の凹凸形状２９を成しており  外容器側面の一部には取水口を持ち  底部には排水を要する時の為の排水棒１４を備えており  常時水を溜めている、中蓋５の中央円筒に取り付けたハンドル１を手で廻すと中蓋５と中容器１１が円筒を中心軸にして連動回転する  外蓋３外容器１２は回転しない  構造を持つ  米研ぎ器。
【請求項２】
外容器中央の円筒先端２９に取り付けた十字板１０は中容器内を十字形に４っのブロック３２に分ける  中容器１１と一緒に回転する米をこの十字板１０に当て  米同志をコスレ合わせて米を研ぐ  米研ぎ器。
【考案の詳細な説明】
【技術分野】
【０００１】本考案は米を研ぐための器具である。手を水に浸す事無なく米を研ぐ  家庭用の手動式米研ぎ器。
【背景技術】
【０００２】米を研ぐには米の入った容器に水を入れ  手で米を研いでいるのが一般的である。
【特許文献１】特開２０００−３１６７３２  米研ぎ器
【考案の開示】
【考案が解決しようとする課題】
【０００３】米の入った容器に水を入れ  手で米研ぎする時  次のことを解決できれば  更に上手な米研ぎ方になると考える。
１．米を研ぐには洗い容器に米を入れ水に浸して  手で米を押し掻き混ぜる  動作を繰り返して汚れを落とし研いでいた。
２．寒い時期の米研ぎには  冷たい水に手を浸さなければならない煩わしさがあった。
３．米の研ぎ不足が無く万遍なく研がれていたのか  どうか  判らない現状がある。
【問題を解決する為の手段】
【０００４】    プラスチック材の部品を使用して米を研ぐ一連の動きを行う。
米を研ぐ時  米全体を動かす事によって万遍なく研ぐ事が出来る。即ち  米の入った容器毎水に浸し水の中で回転させ米を固定板に当てる事によって米粒表面はコスレて汚れが落ちる。
【０００５】外蓋３は中央に太い筒を持ち  中蓋５は中央に細い筒を持つ筒同志をはめ込む二重蓋になっている。手廻しするハンドル１の軸を中蓋中央の筒に差し込み  ハンドル軸外周面と中蓋の中央筒内周面は凹凸勘合２６しており、抜けないようにネジ止め６する。中蓋外周縁と中容器１１外周縁は着脱出来る凹凸勘合２７をしている。これらは同心円である。手でハンドル１を廻すと中蓋５と中容器１１は連動回転する。外蓋３は回転しない。
【０００６】  容器中央に太く短い筒を持った中容器１１と容器中央に細く長い筒を持った外容器１２が筒同志をはめ込む二重容器になっている。米が入った中容器１１の底面は小さな穴が多数２８開いており水が自由に出入りする、外容器１２は回転しないが取水口を持ち米の入った中容器１１を水に浸しながら水を溜める。外容器１２の中央の筒高さ以上の水量になると中央円筒に取り付けた排水ネット９を通り外部へ排出す
【０００７】  外容器中央の筒先端周縁は凹凸形状２９を有し、十字板１０の中央部は外容器中央の筒先端周縁の凹凸に勘合する形状３０を有し  着脱可能な凹凸を勘合させ十字板は固定される。十字板１０は中容器内を十字形に４っのブロック３２に分ける。十字板１０と中容器１１の内側面、内底面、及び中央筒側面との間に隙間３１を設けている。中容器１１と一緒に回転する米が通るための隙間３１である。米研ぎ効果を上げるため中容器内にリブ３３を設けている。
【考案の効果】
【０００８】  中容器内１１の米全体が同時に回転動作を行うので米全体が万遍なく研がれ研ぎ残しがない。
冷たい水に手を浸す事無く誰でも簡単に米全体を平均的に研ぐ事が出来る。
【考案を実施するための最良の形態】
【０００９】  ハンドル１を手で廻す事により  中蓋５は回転し中容器１１は連動回転する。回転する中容器１１に入っている米は  十字板１０に当り、米は盛り上がり渦状に掻き混ぜ合わさり米同志がコスレあって汚れが落ちる。中容器内の米は十字板１０と中容器底面、中容器側面、中央の筒側面間の隙間３１から次のブロックへと流れて行き  同様に十字板１０に当り米は盛り上がり渦状に掻き混ぜ合わさり米同志がコスレ合って汚れが落ちる。回転中この動作を繰り返す。同じ米が容器内を一周するには４っのブロックを通過する為  ４回渦状に掻き混ぜ合わされ米同志がコスレ合って米は研がれる。米を入れた容器全体が同じ動きをする為米全体は平均して研がれる。【００１０】  米を研ぎ終わった後の残水は外容器底部に取り付けた排水棒１４を手で引くと塞いでいた穴が開放されて排出される。【００１１】残水排出後  中容器１１を回転させると脱水工程になる。容器からのしずく  たれ防止になる。
【産業上の利用可能性】
【００１２】本考案は米研ぎ器に関するものである。
【図面の簡単な説明】
【００１３】
【図１】  本考案に係る米研ぎ器の組立構成図
【図２】  本考案に係る米研ぎ器の蓋構成図
【図３】  本考案に係る米研ぎ器の容器構成図
【符号の説明】
【００１４】  １１    米を入れる中容器
１２    中容器を納める外容器
５    ハンドルに連結した中蓋
１    手廻しハンドル
１０    米を当てる十字板
２８    中容器底面の水の出入り穴
３１    十字板と中容器内面間を米が通る隙間
３２    十字板で４っのブロックに分ける。
【図１】
0003121806.tif 000003
【図２】
0003121806.tif 000004
【図３】
0003121806.tif 000005
【手続補正書】
【提出日】平成18年3月16日(2006.3.16)
【手続補正１】
【補正対象書類名】実用新案登録請求の範囲
【補正対象項目名】全文
【補正方法】変更
【補正の内容】
【実用新案登録請求の範囲】
【請求項１】
外容器１２と中容器１１とで２重になっている容器と、中蓋５とを有し、前記中容器１１は中央に太く短い円筒を持ち、底面に多数の水の出入りする小さな穴２８を有しており、前記中容器１１は外周縁に凹凸形状２７を有して前記外周縁で前記中蓋５と連動するようになっており、前記外容器１２は中央に細く長い筒を持ち、前記筒は前記円筒に嵌め込まれて筒高さ以上の水を筒内を通して排水するようになっており、前記筒は先端周縁に凹凸形状２９を有して十字板１０を取り付けており、前記外容器１２は側面に取水口を持ち、底部に排水のための排水棒１４を備えており、前記中蓋５は中央円筒を有し、前記中央円筒に手で廻すと中蓋５とともに前記中容器１１を前記円筒を中心軸にして連動回転させるハンドル１が取り付けられている構造を有する米研ぎ器。
【請求項２】
前記十字板１０は前記中容器１１の内部を十字形に４つのブロック３２に分け、前記中容器１１と一緒に回転する米を当てて米同士を擦れ合わせて米を研ぐ構造となっている請求項１記載の米研ぎ器。